(57)【要約】【課題】本発明はベッドの領域において充分な照度を得ることができるとともに、患者に対しても不快感を生じさせない天井埋込形照明器具を提供する【解決手段】本実施形態によれば、投光開口５１から照射される照射光の一部を遮光ユニット６によって投光開口５１よりも下方の領域で適宜遮光することができるので、療養室８のベッド９の略中心位置の直上に照明器具１を設置してもベッド９に寝た状態の患者４が光源３を直視しないように設定することができる。これにより、ベッド９を使用する患者４に不快感を生じさせない。【選択図】図１
2008041316.tif 000002
【特許請求の範囲】
【請求項１】
天井に埋め込まれる器具本体と；
一端側に投光開口を有し、器具本体内に設けられる反射板と；
反射板内に設けられる光源と；
投光開口の周縁部から投光開口よりも天井に対して下側に突出可能となるように形成され、投光開口から突出した位置においては、投光開口から照射される光の一部を遮光するように設けられる遮光手段と；
を具備することを特徴とする天井埋込形照明器具。
【請求項２】
遮光手段は、投光開口の周縁に沿って回動可能となるように設けられていることを特徴とする請求項１記載の天井埋込形照明器具。
【請求項３】
遮光板は、投光開口から突出する突出量が調整自在であることを特徴とする請求項１または２記載の天井埋込形照明器具。
【発明の詳細な説明】
【技術分野】
【０００１】
本発明は、天井埋込形照明器具に関する。
【背景技術】
【０００２】
一般的に、医療や福祉施設向けの療養室（ベッドが設置された部屋）に設けられる照明器具は、ベッドの中心位置から通路側の方向（ベッドに人が寝た状態における足元方向）の天井に設置される天井埋込形の照明器具やベッドの枕元の壁面に設置されるブラケットなどがあるが、ベッドの枕元を含めた略全体を照射できるように照明装置をベッドの直上の天井に設置することはなされていなかった。
【０００３】
すなわち、ベッドの略全体を照射可能となるようにベッドの略中心位置の直上の天井に天井埋込形照明器具を設置すると、患者がベッドに寝た状態において、埋込形照明器具に用いられいている光源が患者から直視されてしまうので、患者が大きな不快感を生じることになるからである。
【０００４】
また、療養室における照明器具としては、例えば通路に配置した天井直付の照明器具において天井側に間接的に照射される間接照明機能の他に直下方向にも適宜配光が得られるように照明器具内の可動反射板を用いた技術が知られている（例えば、特許文献１参照）。
【０００５】
これによると、治療や処置の際には間接照明に加えて照明器具の直下方向の照度を向上させるというものである。
【特許文献１】特開昭６３−１６５０１号公報
【発明の開示】
【発明が解決しようとする課題】
【０００６】
しかしながら、特許文献１に記載のような技術では、通路の直下方向にある程度は広がる配光は得られてもベッドの領域に照射できる範囲には限界があるので、ベッド全体を照射することはできなかった。また、仮に特許文献１記載の技術において、ベッドの通路側とは反対側である枕元付近まで配光を広げてしまおうとしても、結局、照明器具のランプが患者から直視されてしまうことになるので、ベッドの広い範囲に十分な照度を得る事が困難であった。
【０００７】
したがって、医者による治療や処置の場合にベッド全体が照射することができないため、処置用の専用灯具（照射範囲が幅狭であるもの）をベッドの真上の天井に適宜設けたりすることになってしまい、設備投資が多くなるともに、療養室のレイアウト変更があった場合には容易に対応することができないものであった。
【０００８】
本発明は上記の点に鑑みなされたものであり、ベッドの領域において充分な照度を得ることができるとともに、患者に対しても不快感を生じさせず、さらに療養室のレイアウト変更の際にも容易に対応することができる天井埋込形照明器具を提供することを目的とする。
【課題を解決するための手段】
【０００９】
請求項１記載の天井埋込形照明器具は、天井に埋め込まれる器具本体と；一端側に投光開口を有し、器具本体内に設けられる反射板と；反射板内に設けられる光源と；投光開口の周縁部から投光開口よりも天井に対して下側に突出可能となるように形成され、投光開口から突出した位置においては、投光開口から照射される光の一部を遮光するように設けられる遮光手段と；を具備することを特徴としている。
【００１０】
遮光手段は、投光開口よりも天井に対して下側に突出可能であればよく、例えば遮光手段を使用しない場合には、投光開口よりも突出しないように器具本体内又は天井の内側に収納配置されるように設けられてもよい。このような構成にすると、本来の配光領域を使用したい場合には通常の天井埋込形照明器具としても用いることができるので、療養室のレイアウト変更に伴って通常の照明器具として使用したい場合でも容易に対応することができ、汎用性を高めることができる。
【００１１】
また遮光手段の投光開口よりも下側に突出する方法は、例えば人の手作業によって天井からベッド側に引き出されるように構成したり、リモコン操作等の遠隔操作によって自動的に天井からベッド側に下降しているようにすることもできる。
【００１２】
請求項１記載の埋込形照明器具によれば、投光開口から照射される照射光の一部を前記投光開口よりも下方の領域で適宜遮光することができるので、療養室のベッドの略中心位置の直上付近に埋込形照明器具を設置しても、光源を点灯した状態においてベッドに寝た状態の患者が光源を直視しないように設定することができる。
【００１３】
請求項２記載の天井埋込形照明器具によれば、請求項１記載の天井埋込形照明器具において、遮光手段は、投光開口の周縁に沿って回動可能となるように設けられていることをを具備することを特徴としている。
【００１４】
請求項２記載の埋込形照明器具によれば、遮光する方向を可変することができるので、療養室内のベッドの配置が変わったとしても、新たに埋込形照明器具を設置し直さすことがなく、配置変更後のベッドを使用する患者が光源を直視しないように設定し直すことが容易となる。
【００１５】
請求項３記載の天井埋込形照明器具によれば、請求項１または２記載の天井埋込形照明器具において、遮光手段は、投光開口から突出する突出量が調整自在であることを特徴とする。
【００１６】
請求項３の埋込形照明器具によれば、遮光手段の突出量を調整することができるので、療養室内のベッドの配置が変わっても配置変更後のベッドを使用する患者が光源を直視しないように設定し直すことが容易となる。また、個々の患者の要望（身長や枕元の位置等）に応じて個別に遮光範囲を調整することができる。さらにまた、天井埋込形照明器具が設置される天井の高さに応じた遮光範囲の調整を容易にすることができる。
【発明の効果】
【００１７】
請求項１の天井埋込形照明器具によれば、投光開口から照射される照射光の一部を前記投光開口よりも下方の領域で適宜遮光することができるので、ベッドを使用する患者に不快感を生じさせずにベッドの周辺領域における十分な照度を得ることができる。
【００１８】
請求項２記載の埋込形照明器具によれば、遮光する方向を可変することができるので、療養室のレイアウトが変更になった場合でも、配置変更後のベッドを使用した患者が光源を直視しないように設定し直すことが容易となり、汎用性を高めることができる。
【００１９】
請求項３の埋込形照明器具によれば、遮光手段の突出量を調整することができるので、療養室のレイアウトが変更になった場合でも、配置変更後のベッドを使用する患者が光源を直視しないように設定し直すことが容易となる。また、個々の患者毎のベッドに寝る位置や要望に対しても容易に遮光範囲を調整することができる。さらにまた、天井埋込形照明器具が設置される天井の高さに応じて遮光範囲を容易に調整することができるので、汎用性を非常に高めることができる。
【発明を実施するための最良の形態】
【００２０】
以下、本発明の一実施の形態を図面を参照して説明する。
【００２１】
図１は本実施形態の照明器具の一部を切り欠いた状態を示す正面断面図、図２は図１の照明器具の上部を示した上面図、図３は図1の照明器具を療養室の天井に取付けた状態を示す説明図である。
【００２２】
天井埋込形照明器具である照明器具１は、図１、２に示すように、器具本体１０、ソケット２、光源３、反射板５、及び遮光手段である遮光ユニットを有するものであって、天井板７に形成された埋込穴７１を通じて殆どが天井板７内に埋込配置されるものである。
【００２３】
器具本体１０は、上部側にソケット２が設けられるとともに、このソケット２の横方向に延出する天板１１を有している。そして、天板１１には、光源３の点灯装置等の電気分品が収納されている収納ボックス１２、収納ボックス１２のさらに横方向に端子台１３が設けられている。
【００２４】
また器具本体１０は、天板１１から下方方向に２本の支柱１４を有しており、その下端側には天井板７の埋込穴７１の縁部に係止する枠部１９が設けられている。
【００２５】
また器具本体１０の支柱１４には、照明器具１を天井板７に取付固定するための取付バネ１８が設けられる溝部１７を形成している。さらに、天板１１にはチェーンからなる反射板５の落下防止具１５が設けられている。
【００２６】
光源３は、蛍光ランプであって、透光性を有するガラス管がＵ字状に複数個形成されて一つの放電路構成しているものであり、ガラス管の内面には、蛍光体被膜が形成されるとともに、ガラス管内には所定量の水銀、希ガス等が封入されている。そして、このガラス管の一端側には口金３１が設けられている。
【００２７】
反射板５は、下方側である一端側に投光開口５１、上部である他方側に光源挿通孔５４が形成された略釣鐘形となっている。
【００２８】
遮光手段である遮光ユニット６は、投光開口５１と略同位置の枠部１９から天井より下側に突出自在となるような第一遮光板６１と、前記第一遮光板部６１の先端側であって前記第一遮光板部６１と連結する第二遮光板部６２を有している。
【００２９】
この第一及び第二の遮光板部６１、６２は、天井板７の内側に設けられている収納部６３内に収納自在となるように設けられている。そして、第一遮光板部６１と遮光板部６２とは、連動機構により連動するようになっており、収納部６３から最初に下側に引き出されるように突出するのは第二遮光部６２であって、第二遮光板部６２よりもさらに下側に遮光領域を設けたい場合には、第一遮光板部６１が収納部６３から下側に引き出されるようになっているものである。なお、第一遮光部６１及び第二遮光部６２の突出量は、適宜調整できるものである。また、第一、第二遮\光板部６１，６２の引き出し手段は、人の手作業であってもよいし、遠隔操作による遠隔制御であってもよい。
【００３０】
また、遮光ユニット６は、図２に示したように、枠部１９に形成された支柱１４、１４間に形成された回動溝６４をガイドとして移動することができるようになっている。これにより、投光開口５１の周縁に沿うように遮光ユニット６の配置位置を可変することができるものである。なお、遮光ユニット６の回動手段は、人の手作業であってもよいし、遠隔操作による遠隔制御であってもよい。
【００３１】
ここで、本実施形態の照明器具３の天井板７への療養室８への取付状態について図３を参照して説明する。
【００３２】
図３に示すように、照明器具１をベッド９の略中心位置の直上である天井板７内に埋込配置するとベッド９の略全体を照明器具１で照射できるようになる。このとき、ベッド９には、通路９１側とは反対側を枕元９２とするように患者４が寝るようになっている。そして、図３のように、患者４がベッドに寝ている状態において、遮光ユニット６の第一遮光部６１及び第二遮光部６２を引き出した状態においては、患者４の視線Ａからは、照明器具１の光源３が直視されないようになっている。したがって、例えば医者が患者４の腹部周辺の処置を行う際であっても遮光ユニット６を天井板７から突出させることで、医者に対して処置に耐えうる十分な照度をベッド９付近でも得ることができるとともに、患者４は処置の最中に不快感を生じることがない。また、医者の処置以外であっても例えば患者４の看護者にとってもベッド周辺の広い範囲で照度が確保できることは非常に有効であって、看護における精神的負担を少しでも軽減することができる。また、ベッド９を使用する患者４においても、ベッド９全体を適宜明るく照明することができるので、日常生活において照度不足による不具合が生じることを抑制することができる。
【００３３】
本実施形態によれば、投光開口５１から照射される照射光の一部を遮光ユニット６によって投光開口５１よりも下方の領域で適宜遮光することができるので、療養室８のベッド９の略中心位置の直上に照明器具１を設置してもベッド９に寝た状態の患者４が光源３を直視しないように設定することができる。これにより、ベッド９を使用する患者４に不快感を生じさせずにベッド９の周辺領域の十分な照度を得ることができるので、医者の診察や処置、看護者の看護及び患者４の日常生活において十分な明るさを確保することができる。
【００３４】
また、本実施形態によれば、遮光ユニット６が回動溝６３を移動自在であるので、遮光する方向を可変することができる。これにより、療養室８内のベッド９の配置が変わったとしても、新たに照明器具１を設置し直さすことがなく、配置変更後のベッド９を使用する患者４も光源３を直視しないように設定し直すことが容易となる。また、必要に応じて、照明器具１の直下に配置されたベッド９以外の周辺の領域（隣りのベッド等）から照明器具１の光源３が見えないように調整することも可能となり、複数の患者４が存在する療養室８である場合にも各患者４等に不快感を生じさせないようにすることもできる。
【００３５】
また本実施形態によれば、遮光ユニット６の第一遮光材６１や第二遮光部６２の突出量を調整することができるので、療養室８内のベッド９の配置が変わっても配置変更後のベッド９を使用する患者４が光源を直視しないように設定し直すことが容易となる。また、個々の患者４の状態（身長や枕元の位置）に応じて用意に遮光範囲を調整することができる。さらにまた、照明器具１が設置される天井板７の高さに応じても遮光範囲を容易に調整することができるので、特に照明器具１を製造する側にとっても各天井に応じた専用の照明器具にすることがないので、在庫の管理や生産性においても非常に有効なものである。
【００３６】
なお、本本実施形態においては、遮光ユニット６は第一及び第二遮光部６１，６２の連動機構によるものであったが、これに限定されるものではなく、他の形態でもよい。また、遮光ユニット６は、必ずしも照明器具１と一体でなくてもよく、後付できるようなユニットであってもよい。
【図面の簡単な説明】
【００３７】
【図１】本実施形態の照明器具の一部を切り欠いた状態を示す正面断面図
【図２】図１の照明器具を示した上面図
【図３】図1の照明器具を療養室の天井に取付けた状態を示す説明図
【符号の説明】
【００３８】
１…照明器具、１０…器具本体、３…光源、５…反射板、５１…投光開口、６…遮光手段である遮光ユニット
【図１】
2008041316.tif 000003
【図２】
2008041316.tif 000004
【図３】
2008041316.tif 000005